(57)【要約】【課題】部品点数の削減と組み立ての容易化を達成でき、且つ、側板ケースの高さ寸法の制約も少ない設計上の自由度を備えた台板の衝撃緩衝装置を提供すること。【解決手段】側板ケース１５内で回転可能に設けられた支持手段４８，４９，５１と、この支持手段に支持されて側板ケースの出し入れ口３９を通じて出し入れ可能な台板１７とを備えて椅子１０が構成されている。側板ケース１５内において、当該側板ケースと支持手段との間には、台板を引き出すときと収容するときの各動作時に作動する一個のガススプリング１００が設けられている。このガススプリング１００は前記支持手段と共に側板ケース１５の上部に配置されている。【選択図】          図９
2004313422.tif 000002
【特許請求の範囲】
【請求項１】
所定の出し入れ口を有するケースと、このケースに回転可能に設けられた支持手段と、前記支持手段に支持されるとともに前記出し入れ口を通じて出し入れ可能に設けられた台板とを備え、
前記台板をケースから引き出すとき、及び、ケース内に収容するときの各動作時に作動する単一の緩衝手段が前記ケースと支持手段との間に設けられていることを特徴とする台板の衝撃緩衝装置。
【請求項２】
前記緩衝手段はガススプリングにより構成され、当該ガススプリングの後端部が前記ケースに回転可能に支持される一方、シリンダロッドの先端側が前記支持手段に連結されることを特徴とする請求項１記載の台板の衝撃緩衝装置。
【請求項３】
上端側に椅子の肘掛け面部を備えているとともに前端側に出し入れ口を有する側板ケースと、この側板ケース内で回転可能に設けられた支持手段と、前記支持手段に支持されるとともに前記出し入れ口を通じて出し入れ可能に設けられ、椅子の座部に腰掛けた者の前方で略水平姿勢に回転させて使用位置とする台板とを備え、
前記台板を側板ケースから引き出すとき、及び、ケース内に収容するときの各動作時に作動する単一の緩衝手段が前記ケースと支持手段との間に設けられ、
前記支持手段及び緩衝手段は、前記側板ケースの上部側に配置されていることを特徴とする台板の衝撃緩衝装置。
【発明の詳細な説明】
【０００１】
【発明の属する技術分野】
本発明は台板の衝撃緩衝装置に係り、更に詳しくは、台板の出し入れの際に生ずる衝撃を緩和する装置の改良に関する。
【０００２】
【従来の技術】
従来より、劇場、観覧席等の椅子には、出し入れ可能な台板を備えた高機能タイプのものが存在する。このタイプの椅子は、肘掛けの下方領域で台板を略鉛直面内に位置させて収容することのできる側板ケースが設けられており、当該側板ケースの前端部に設けられた出し入れ口より、台板を引き出して着座者の腰部前方位置で略水平位置まで回転させて使用位置にセットすることができるようになっている。
【０００３】
このような椅子においては、側板ケースに対し、台板の引き出し時と、収納に際して当該台板が勢いよく側板ケース内に引き込まれることがないようにした衝撃緩衝装置が採用されている。
【０００４】
【発明が解決しようとする課題】
しかしながら、従来の衝撃緩衝装置は、台板を側板ケースから引き出すときに作用する衝撃緩衝装置と、台板を側板ケース内に収容するときに作用する衝撃緩衝装置との二つの部材が用いられている。従って、部品点数が増大するとともに、側板ケースのような限定的なスペース内での組み立てが非常に面倒になるという不都合がある。
【０００５】
しかも、従来構造では、台板を収容する際に作用する衝撃緩衝装置は、側板ケースの床面近傍位置から肘掛けの前端近傍位置における台板の支持アームに連結されるコイルスプリングによって構成されていることから、側板ケースが床面直近から肘掛け領域までの高さを有する場合には適用できるものの、横一連に並ぶ各椅子に共用するベースを用いて椅子を構築する場合にはベース配置空間が必要となるから、これを妨げることがない高さ寸法の側板ケースを用いなければならない、この場合には、側板ケース内の部材配置空間が狭くなってしまうため、前述したコイルスプリングを他部材と干渉することなく引き回す領域がなくなってしまい、これにより、二つの衝撃緩衝装置を用いる従来構造では、高さ寸法に制約がある側板ケースを採用した椅子には適用できなくなり、汎用性を付与することができない、という不都合を招来する。
【０００６】
【発明の目的】
本発明は、このような不都合に着目して案出されたものであり、その目的は、衝撃緩衝装置を最小数として部品点数の削減と組み立ての容易化を達成でき、且つ、側板ケースの高さ寸法の制約も少ない設計上の自由度を備えた台板の衝撃緩衝装置を提供することにある。
【０００７】
【課題を解決するための手段】
前記目的を達成するため、本発明は、所定の出し入れ口を有するケースと、このケースに回転可能に設けられた支持手段と、前記支持手段に支持されるとともに前記出し入れ口を通じて出し入れ可能に設けられた台板とを備え、
前記台板をケースから引き出すとき、及び、ケース内に収容するときの各動作時に作動する単一の緩衝手段が前記ケースと支持手段との間に設けられる、という構成を採っている。
【０００８】
具体的には、上端側に椅子の肘掛け領域を備えているとともに前端側に出し入れ口を有する側板ケースと、この側板ケース内で回転可能に設けられた支持手段と、前記支持手段に支持されるとともに前記出し入れ口を通じて出し入れ可能に設けられ、椅子の座部に腰掛けた者の前方で略水平姿勢に回転させて使用位置とする台板とを備え、
前記台板を側板ケースから引き出すとき、及び、ケース内に収容するときの各動作時に作動する単一の緩衝手段が前記ケースと支持手段との間に設けられ、
前記支持手段及び緩衝手段は、前記側板ケースの上部側に配置される、という構成を採っている。このような構成とすることで、緩衝手段を一つとすることができるため、部品点数の削減を通じて組み立ても容易となり、また、側板ケース内で移動する台板や、これの支持手段との位置的な制約も解消することが可能となる。しかも、緩衝手段は、側板ケースの上部に一個設けるだけで足りるため、床面側に接近した位置に緩衝手段を設ける必要もなくなり、側板ケースの底部が床面よりもかなり上方に位置するタイプとしても適用することができる。
【０００９】
【発明の実施の形態】
本発明において、前記緩衝手段はガススプリングにより構成され、当該ガススプリングの後端側が前記ケースに回転可能に支持される一方、シリンダロッドの先端側が前記支持手段に連結される、という構成を採るとよい。このような構成とすることで、ガススプリングを一個の独立した部品として入手するだけで台板の緩衝構造を構成することが可能となる。
【００１０】
なお、本明細書において、「前」とは、椅子に人が着座した姿勢で当該着座した者から見た前方について用いられる一方、「後」とは、同人の後方について用いられる。また、側板ケースの位置を説明するための、「外」、「内」なる用語は、一つの椅子を一単位とした場合について用いられるものであり、側板ケースを共用して複数の椅子を横一連に設けた状態において、隣接する椅子から見た場合には、「外」、「内」が反対となる。従って、このような位置を説明する用語は、発明の内容を説明するための便宜上の概念であって、発明を限定的に解釈するものではないことを留意されたい。
【００１１】
【実施例】
以下、本発明の実施例を図面を参照しながら説明する。
【００１２】
図１には、本発明が適用された劇場用の椅子が複数横並びに設けられた概略斜視図が示され、図２には、その一部概略斜視図が示され、図３には、台板を使用位置にセットした状態の概略斜視図が示されている。これらの図において、椅子１０は、座部１１と、この座部１１の後部に配置された背部１２とを備えた椅子本体１３と、当該椅子本体１３の両側に配置された一対の側板ケース１５，１５と、この側板ケース１５内の上部側に配置された支持手段１６（図３参照）を介して出し入れ可能に設けられた台板１７を備えて構成されている。椅子本体１３は、座部１１が上下方向に向く位置と略水平方向に向く位置との間で回転可能に設けられた公知の構造が採用されている。ここで、台板１７は、座部１１に人が着座したときに、着座した者から見て右側の側板ケース１５から台板１７を引き出して使用することができるようになっている。従って、横一列に並んだ多数の椅子１０のうち、着座した者から見て最も左側に位置する側板ケース１５Ａ（図１中最右端の側板ケース）には台板１７を出し入れする構造は採用されていない。
【００１３】
前記側板ケース１５は、図４ないし図６に示されるように、内側板２０及び外側板２１と、これら内側板２０及び外側板２１間に位置して台板１７等の収容空間を形成する幅を有する後端スペーサ２３及びベースブロック２４と、後端スペーサ２３の後端面側に設けられる後端カバー２６と、外側板２１の外面側全領域を覆うとともに、前端側を回り込んで内側板２０の前部領域を覆い、且つ、上端部に肘掛け面部２７を備えた外側カバー２９（図６参照）とにより構成されている。
【００１４】
内側板２０と外側板２１は、本実施例では、金属板材を用いて構成されており、相互の外形が略対称形状に設けられているとともに、ねじ等を挿入するための多数の穴２０Ａ，２１Ａがそれぞれの面内に形成されている。これら各側板２０，２１は、上端の前後幅が後端の前後幅よりも長く設けられ、後端は、下方に向かうに従って前方に位置する傾斜状に設けられている。
【００１５】
後端スペーサ２３は、横断面形状が略コ字状をなして上下方向に向けられるとともに、開放側が収容空間内に向けられた状態で内側板２０と外側板２１との間に配置される。後端スペーサ２３は、内側板２０と外側板２１の各後端部内面側に連結される一対の側板連結面３０，３０と、これら側板連結面３０の後端間に位置する後端カバー連結面３１とからなる。側板連結面３０と後端カバー連結面３１には連結用のねじが挿入される複数の連結穴３０Ａ，３１Ａが設けられているとともに、後端カバー連結面３１には、連結穴３１Ａよりも大径となる操作用穴３１Ｂが形成されている。
【００１６】
前記ベースブロック２４は、床面又はこれに敷設される基台に固定される略Ｃ字状部３３と、このＣ字状部３３の前端に位置する前面部３４とからなる。Ｃ字状部３３には、下面に固定用穴３３Ａが設けられているとともに側面に連結用穴３３Ｂが形成され、また、前面部３４の側面にも連結用穴３４Ａが形成されている。従って、固定用穴３３Ａに図示しないねじを挿入して床面側にベースブロック２４を固定することができ、連結用穴３３Ｂ、３４Ａに図示しないねじを挿入して内側板２０及び外側板２１の下部領域をベースブロック２４に固定することができる。
【００１７】
後端カバー２６は木質材により構成されているとともに、前記後端カバー連結面３１の平面形状に略対応した板材により構成されている。この後端カバー２６は、後端カバー連結面３１に突き当てた状態でねじ３６により固定される。なお、ここでは、ねじ３６が後端カバー連結面３１Ａ側から挿入される構成を示しているが、後端カバー２６の外側面からねじ３６を挿入して当該後端カバー２６を後端カバー連結面３１に固定するようにしてもよい。
【００１８】
前記外側カバー２９は木質材により構成されている。この外側カバー２９は、図６に示されるように、外側板２１の外面側に位置する外側面部３８と、この外側面部３８の前端側で当該外側面部３８の面方向に略直交する方向に向けられるとともに、上下方向に沿ってスロット状の出し入れ口３９を備えた前面部４０と、この前面部４０に連なって前記外側面部３８と略平行に設けられて内側板２０の前部領域をカバーする内側面部４２と、これら外側面部３８，前面部４０及び内側面部４２の上端に位置して前後方向に向けられた肘掛け面部２７とにより構成されている。ここで、肘掛け面部２７の下面側には、前後方向に延びる下向きコ字状の連結金具４５が固定され、当該連結金具４５を前記内側板２０、外側板２１の上端側に図示しないねじで連結することで、外側カバー２９が固定できるようになっている。
【００１９】
前記支持手段１６は、図４、図７及び図８に示されるように、相互に略平行に配置されて相対回転可能な複数の略板状をなすリンク部材により構成されている。すなわち、リンク部材は、前記側板ケース１５内の前端上部コーナー近傍に位置する第１の支持軸４７を介して回転可能に設けられるとともに自由端側に台板１７が取り付けられる支持アーム４８と、この支持アーム４８に相対回転可能に連結されて当該支持アーム４８の回転に伴って回転する中間アーム４９と、当該中間アーム４９に相対回転可能に連結されるとともに、側板ケース１５内の中央部近傍に位置する第２の支持軸５０を回転中心として回転可能なベースアーム５１とを含んで構成されている。
【００２０】
前記第１の支持軸４７は内側板２０の内面側から挿入されるねじ５３によって軸方向一端側が固定されるとともに、外側板２１の外面側から挿入されるねじ５４によって他端側が固定される。なお、ねじ５４による固定は、支持アーム４８の筒状部５５に第１の支持軸４７を挿入した後に行われる。
【００２１】
前記支持アーム４８は、基部側アーム５６と、この基部側アーム５６に組み合わされる先端側アーム５７とからなる。基部側アーム５６は、前記筒状部５５と、この筒状部５５の軸方向中間に連なるとともに、当該軸方向を横切る方向に設けられた略Ｌ字状の板状部５８とからなる。この板状部５８の上方前部には、二箇所の凹状部を備えた軸受部６０が形成されている。この一方、先端側アーム５７は、前記台板１７の面内に取り付けられる取付面部６２と、この取付面部６２の端部に設けられて前記軸受部６０の凹部内に受容される連結部６４とを備えて構成されている。先端側アーム５７は、前記軸受部６０の凹部に連結部６４を受容させた状態で、前記軸受部６０に軸６６を挿入することで、基部側アーム５６に一体的に連結可能となっている。また、取付面部６２は、前記軸６６の周方向に沿って回転可能とされ、これにより、取付面部６２が基部側アーム５６の面に略沿う位置と、当該位置から内方へ略９０度回転して取付面部６２に取り付けられる台板１７を略水平姿勢として着座する者の腰部前方の使用位置にセットできるようになっている。なお、基部側アーム５６において、内側板２０に相対する側の面内には、図８中点線で示される連結凹部５８Ａが形成され、この連結凹部５８Ａに挿入される軸部材６８を介して中間アーム４９の前端側部分で、当該中間アーム４９と相対回転可能に連結される。
【００２２】
前記中間アーム４９は、平面形状が略弓なりに沿う板状の外形を備えて構成されている。この中間アーム４９は、図８中前端側（右端側）上部に、前記軸部材６８が挿入される挿入穴７０を備えている一方、後端側（左端側）に軸７１を備えて構成されている。また、中間アーム４９の中央部近傍には、ねじ穴７３が設けられており、当該ねじ穴７３には、外周面にねじ溝が形成された使用位置保持装置を構成するボールプランジャ７４（図１４参照）がねじ込まれるようになっている。このボールプランジャ７４は、軸部材の先端側にボール７５を脱落不能な状態で備え、内部に収容されたばね７６によってボール７５を常時は突出する方向に力を付与するように構成されている。
【００２３】
前記ベースアーム５１は、図４及び図７中上下方向に沿って延びる板状の直線状部材８０と、この直線状部材８０の図中上端側から前方に向けられて平面視略三角形に近似した板状の延長部材８１と、前記直線状部材８０の中間位置における図中後端縁から後方に向けられるとともに、後述する衝撃緩衝装置としてのガススプリング１００を取り付けるための取付部形成部材８３とにより構成されている。
【００２４】
直線状部材８０は、図４中下端側が前記第２の支持軸５０によって回転可能に支持されている。また、前記延長部材８１の面内において、図中前端部には、前述したボールプランジャ７４のボール７５と相互に作用して使用位置保持手段を構成する凹部としての穴８５が形成されている。そして、この穴８５よりも後方位置には、穴８６が形成され、当該穴８６には、中間アーム４９側から突出する軸７１の先端が挿入され、これにより、ベースフレーム５１と中間アーム４９とが相対回転可能に連結されるようになっている。また、前記取付部形成部材８３は、その延出方向に沿う二箇所に、外側板２１に向かって屈曲する前段部８３Ａ及び後段部８３Ｂを備えた形状をなし、各段部８３Ａ，８３Ｂには、調整手段としての送りねじ軸８８が軸方向移動不能な状態で回転可能に支持されるようになっている。また、後段部８３Ｂの上部には、ねじ穴８９が形成されており、当該ねじ穴８９には、ストッパねじ９０が後方からねじ込み可能に設けられて前記送りねじ軸８８に併設されるようになっている。なお、前記段部８３Ａ，８３Ｂ間に位置して内側板２０との間に空間を形成する空間形成面９１には、後段部８３Ｂ寄りに切欠部９１Ａが形成されている。
【００２５】
前記送りねじ軸８８回りには、当該送りねじ軸８８と共に調整手段を構成するナット部材９３が装着される。このナット部材９３は、送りねじ軸８８が貫通するナット９５と、このナット９５に溶接等の手段で固定されたＬ字金具９６と、当該Ｌ字金具９６の面内から前記空間形成面９１側に突出する保持軸９７とにより構成されている。この保持軸９７は、ガススプリング１００におけるシリンダロッド１０１の先端側で、当該シリンダロッド１０１の軸線を横切る方向に開通する貫通穴付き連結板１０２に挿入可能とされ、これにより、ナット部材９３とシリンダロッド１０１とが連結可能となっている。なお、貫通穴付き連結板１０２は、前記切欠部９１Ａの領域内に位置するときに、保持軸９７から脱落可能とされる一方、切欠部９１Ａ以外の空間形成面９１Ａの対応領域内に位置するときは、保持軸９７からの脱落が阻止されるようになっている。
【００２６】
前記ガススプリング１００は、側板ケース１５内における上部に一個配置されている。このガススプリング１００は、その後端部（図４中上端）の穴に内側板２０の上端後部に設けられた軸１０５が挿入されて回転可能に支持され、ピン１０６で抜け留め固定されるようになっている。また、ガススプリング１００は、シリンダロッド１０１が前進する場合と、後退する場合の双方における衝撃吸収機能を備えた、いわゆる二方向ガススプリングとして構成されている。
【００２７】
前記台板１７は、図９に示されるように、側板ケース１５内に収容された状態で、側板ケース１５内に丁度収まる前後幅に設けられており、その一部コーナー領域が前記取付面部６２に固定されている。この台板１７は、図１１に示されるように、板の面が略鉛直面内に向けられた状態で、側板ケース１５の出し入れ口３９から引き出され、その後に、取付面部６２と共に、略水平姿勢となる使用位置に回転可能となっている。台板１７の自由端側には、凹部１７Ａが形成されており、当該凹部１７Ａに指先を引っかけることにより、収容された台板１７の引き出しを容易に行えるようになっている。
【００２８】
なお、図４中符号１０７は、内側板２０に固定されたローラを示し、当該ローラ１０７により、台板１７の出し入れの際のガイド機能と、スムースなる回転移動が保たれる。また、図５中符号１０８は、台板１７を収容したときの基端側アーム５６の回転限界を規制するストッパを示す。
【００２９】
次に、本実施例における台板１７の出し入れ操作と、ガススプリング１００の調整操作等について、図９ないし図１６をも参照しながら説明する。
【００３０】
台板１７が側板ケース１５内に収容されている状態から台板１７を出し入れ口３９から引き出すときは、当該台板１７に形成されている凹部１７Ａに指先を引っかけて前方に引き出せばよい。これにより、図１０に示されるように、支持アーム４８は、第１の支持軸４７を回転中心として、略鉛直面内で反時計方向に回転する。すると、支持アーム４８を構成する基端側アーム５６は、中間アーム４９の挿入穴７０内を貫通する軸部材６８によって中間アーム４９と相対回転可能に連結されているため、中間アーム４９が略鉛直面内で前方に回転しながら移動することとなる。また、中間アーム４９は、軸７１を介してベースアーム５１に相対回転可能に連結されているため、当該ベースアーム５１も、第２の支持軸５０を回転中心として略鉛直面内で時計方向に回転することとなる。このようにベースアーム５１が回転するときは、ガススプリング１００は、シリンダロッド１０１を後退させながら角度変位し、シリンダロッド１０１の先端位置が上方前方に位置するようになる。
【００３１】
そして、支持アーム４８を側板ケース１５の上部前方に位置するところまで完全に引き出したときに、台板１７は、略鉛直向きとなって肘掛け面部２９の前方に位置し、台板１７を略９０度回転させることで、使用位置にセットすることができる。このように台板１７を使用位置にセットした状態、すなわち、図１１，１２に示される状態で、中間アーム４９の面内に設けられたボールプランジャ７４のボール７５がベースアーム５１の上部前端側に位置する穴８５に嵌り込み（図１４（Ａ）参照）、ばね７６の力によってボール７５を穴８５に食い込ませるように作用する。従って、使用位置にセットされた台板１７において、取付面部６２側に飲料物の入ったペットボトル等を置いても、その偏荷重によって不用意に台板が引き込まれる方向に回転することが防止される。
【００３２】
台板１７を側板ケース１５内に収容するときは、台板１７の面を略鉛直面内に向くように回転させればよい。これにより、支持アーム４８の基部側アーム５６に台板１７の重さを含む荷重が大きく作用することから、この荷重が前記ボール７５を穴８５から強制的に脱出するように作用し（図１４（Ｂ）参照）、前述した方向とは反対側の相対回転移動を伴って台板１７を側板ケース１５内に収容することができる。
【００３３】
このような台板１７の出し入れ動作を反復継続的に行うことにより、ガススプリング１００内に充填されたガスが経時的に少なくなってくると、初期の圧力をを低下して期待する緩衝性能を維持することが困難になる場合がある。この場合には、送りねじ軸８８の前端側に六角レンチ等を差し込んで回転させることによって調整することができる。すなわち、図１２の状態において、側板ケース１５の出し入れ口３９から軸長の長いレンチを差し込んで回転させると、ナット部材９３が送りねじ軸８８の軸方向に沿って移動することとなる。ナット部材９３が図１２中左側に移動すると、この移動によってガススプリング１００は、そのシリンダロッド１０１の初期突出量に対して後退することとなり、ガス漏れによる圧力低下に起因した機能低下に対応することができ、製品寿命を長引かせることが可能となる。この一方、初期設定状態で、圧力が強すぎる場合には、前記送りねじ軸８８を反対側に回転させてシリンダロッド１０１の初期突出量を長くしておくことで対応することができる。なお、図１２の状態においては、ストッパねじ９０がナット部材９３側に最大限突出しているため、ナット部材９３は、ストッパねじ９０の先端に突き当たる位置までしか移動することができず、従って、切欠部９１Ａの領域内にシリンダロッド１０１の貫通穴付き連結板１０２が位置して保持軸９７から抜け出てしまうようなことはない（図１５参照）。
【００３４】
ガススプリング１００のガス漏れにより、当該ガススプリング１００自体の交換等が必要になったときは、図１６に示されるように、前記ストッパねじ９０を緩めて先端位置を後退させた状態で送りねじ軸８８を回転させればよい。これにより、ナット部材９３は、ストッパねじ９０による移動規制が解除されることとなり、貫通穴付き連結板１０２が切欠部９１Ａの領域に位置するところまで移動することができる。従って、この状態で、図１６中、紙面手前側に貫通穴付き連結板１０２を引き出すことで保持軸９７から抜き出して連結を解除でき、その後に、ガススプリング１００の後端側に差し込まれているピン１０６を外し、軸１０５から抜き出すことでガススプリング１００を取り外すことができる。なお、前記ストッパねじ９０は、後端スペーサ２３に形成された操作用穴３１Ｂから工具を差し込んで回転させることができる。
【００３５】
従って、このような実施例によれば、緩衝手段として作用するガススプリング１００が単一で、しかも、シリンダロッド１０１が前進する場合と、後退する場合の双方における衝撃吸収機能を備えたものにより構成されているから、少なくとも、従来構造に比べて簡易な構造とすることができ、組み立て工程も少なくすることができる。しかも、ガススプリング１００は、支持手段を構成する支持アーム４８、中間アーム４９及びベースアーム５１と共に側板ケース１５の上部に配置される構成としたから、前記肘掛け面部２７からの上下方向寸法が小さい側板ケースであっても配置することが可能となり、側板ケース１５の大きさに制限されないという汎用性も付与することができる。
【００３６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状、位置などの限定の一部若しくは全部の限定を外した部材の名称での記載は、本発明に含まれるものである。
【００３７】
例えば、前記実施例では、台板の衝撃緩衝装置が椅子に適用された場合を図示、説明したが、その他の家具、例えば、ワゴン等に適用して拡張天板として利用できるようにしてもよい。
【００３８】
【発明の効果】
以上説明したように、本発明によれば、緩衝手段を一つとすることができるため、部品点数の削減を通じて組み立ても容易となり、また、側板ケース内で移動する台板や、これの支持手段との位置的な制約も解消することが可能となる。しかも、緩衝手段は、側板ケースの上部に一個設けるだけで足りるため、床面側に接近した位置に緩衝手段を設ける必要もなくなり、側板ケースの底部が床面よりもかなり上方に位置するタイプとしても適用することが可能な台板の衝撃緩衝装置を提供することができる。
【図面の簡単な説明】
【図１】本実施例に係る椅子が複数横並びにされた状態を示す概略斜視図。
【図２】図１の一部の椅子を示す概略斜視図。
【図３】図２の椅子から台板を引き出した状態を示す概略斜視図。
【図４】側板ケースの内部構造を示す分解斜視図。
【図５】図４の一部を示す概略斜視図。
【図６】外側カバーの概略斜視図。
【図７】ベースアームを中心とした構成部分を示す概略斜視図。
【図８】中間アーム、支持アームを中心とした構成部分を示す概略斜視図。
【図９】台板を収容した状態を示す要部概略側面図。
【図１０】台板を途中まで引き出した状態を示す要部概略側面図。
【図１１】台板を最終位置まで引き出した状態を示す要部概略側面図。
【図１２】図１１の状態から台板を使用位置にセットした状態を示す要部概略側面図。
【図１３】図１２の要部概略斜視図。
【図１４】（Ａ）はボールプランジャのボールが穴に受容された状態を示す概略断面図、（Ｂ）は、ボールが穴から外れた状態を示す概略断面図。
【図１５】ガススプリングの調整要領を説明するための側面図。
【図１６】ガススプリングを外す際の要領を説明するための側面図。
【符号の説明】
１０  椅子
１１  座部
１２  背部
１３  椅子本体
１５  側板ケース
１６  支持手段
１７  台板
４８  支持アーム
４９  中間アーム
５１  ベースアーム
１００  ガススプリング（緩衝手段）
１０１  シリンダロッド
【図１】
2004313422.tif 000003
【図２】
2004313422.tif 000004
【図３】
2004313422.tif 000005
【図４】
2004313422.tif 000006
【図５】
2004313422.tif 000007
【図６】
2004313422.tif 000008
【図７】
2004313422.tif 000009
【図８】
2004313422.tif 000010
【図９】
2004313422.tif 000011
【図１０】
2004313422.tif 000012
【図１１】
2004313422.tif 000013
【図１２】
2004313422.tif 000014
【図１３】
2004313422.tif 000015
【図１４】
2004313422.tif 000016
【図１５】
2004313422.tif 000017
【図１６】
2004313422.tif 000018